(57)【要約】【課題】  ＵＰｎＰ  Ｖｅｒ１．０  「ＷＬＡＮ  Ｃｏｎｆｉｇｕｒａｔｉｏｎ：１  Ｓｅｒｖｉｃｅ  Ｔｅｍｐｌａｔｅ  Ｖｅｒｓｉｏｎ  １．０１」においては、情報複写作業の手順のみを規定しており、複写先の無線アクセスポイントの選択手段に関しては、今までの無線パラメータの設定の通り、設定対象機器の選択を設定操作者からの入力情報を選択するために、ネットワークの情報収集操作が必要であった。【解決手段】  無線端末機能と、設定対象無線アクセスポイントに具備される可視表示手段をコントロール可能な設定機能の組合せにより、前記無線端末機能のアクディブスキャンにより、無線接続が可能と判断された無線アクセスポイントをグループ化候補として自動選択し、前記グループ化候補無線アクセスポイントの可視表示手段に、可視情報を送信し、クループか候補の機器同士で関連付けられた表示を行う事で、設定操作者に機器の関連付け情報を視認させることにより、グループ化のための事前ネットワーク情報収集操作が不要となる。【選択図】        図３
2006287787.tif 000002
【特許請求の範囲】
【請求項１】
ルートとなるマスタ無線アクセスポイントを中心に複数のスレーブ無線アクセスポイントをグループ化し、前記無線アクセスポイント間の相互通信を実現すると共に、エリア内の無線クライアント端末との間の通信も可能である無線ネットワークシステムにおいて、
前記無線アクセスポイントは、前記無線クライアント端末からの指示に従い情報を表示することが可能な情報表示手段と、前記無線クライアント端末から受領する設定情報ファイルに従って設定情報を変更する手段とを具備し、
前記無線クライアント端末は、無線アクセスポイントを自動探索する手段と、接続先無線アクセスポイントから、現在設定中の設定情報が記述されている設定情報ファイルを読み出す手段と、前記設定情報ファイルを一次記憶する手段と、前記無線アクセスポイントの情報手段に対する表示を指示する手段を具備し、
前記無線クライアント端末上で、前記グループ内のいずれかの無線アクセスポイントとアソシエーション中に、利用者がグループ化処理の起動操作を行った際、前記無線アクセスポイントの自動探索手段を起動し、周辺の無線アクセスポイントの探索を行った後、探索結果を表示情報として前記アソシテーション中の無線アクセスポイントに送信し、当該表示情報に従って前記無線アクセスポイントの情報表示手段に該当表示を行うことを特徴とする無線ネットワークシステム。
【請求項２】
前記探索結果により、接続可能な無線アクセスポイントを検出した前記無線クライアント端末は、前記探索結果の表示情報を送信後に、現在アソシエーション中の無線アクセスポイントから前記設定情報ファイルを読み出し、一次記憶を行ない、ディスアソシエートした後、前記検出した無線アクセスポイントに対してのアソシエートし、前記マスタ無線アクセスポイントからのグループへの参加要望情報を、当該無線アクセスポイントの情報表示手段に表示するための情報を送信し、
前記グループへの参加要望情報を表示するための表示情報を受取った無線アクセスポイントは、当該指示に従った表示を表示手段に行うことを特徴とする請求項１に記載の無線ネットワークシステム。
【請求項３】
前記無線クライアント端末において、グループ化実行処理の開始・中止を受付ける操作手段と、当該操作情報の未入力時間を計測する計時手段有し、
当該無線クライアント端末の利用者が前記グループ化実行処理の中止操作を実行、或は前記グループ化実行処理の開始操作を行うことなく、規定時間が経過した際に、現在接続中無線アクセスポイントと直ちにディスアソシエートした後、前記設定情報ファイルの読出し元無線アクセスポイントと再度アソシエートし、前記マスタ無線アクセスポイントからのグループへの参加要望が拒否された旨を、当該無線アクセスポイントの情報表示手段に表示するための情報を送信し、
前記グループへの参加要望が拒否された旨の情報を表示するための表示情報を受取った無線アクセスポイントは、当該指示に従った表示を表示手段に行うことを特徴とする請求項２に記載の無線ネットワークシステム。
【請求項４】
前記無線クライアント端末は、一次記憶中の前記設定情報ファイルをアソシエート中の無線アクセスポイントに対して公開する手段、或は当該設定情報ファイルを送付する手段と有し、
前記無線アクセスポイントは、前記設定情報ファイルの情報をデコードし、情報内容に対応した通信パラメータの設定を行う手段を有し、
前記無線クライアント端末の利用者が前記グループ化実行処理の開始操作を実行した際に、当該無線クライアント端末が一時記憶してい前記設定情報ファイル情報内容に従った設定情報を、前記グループ化対象無線アクセスポイントが自動設定すると共に、
前記無線クライアント端末が、前記マスタ無線アクセスポイントからのグループへの参加処理を実施した旨を、当該無線アクセスポイントの情報表示手段に表示するための情報を送信し、
前記グループへの参加処理を実施した旨の情報を表示するための表示情報を受取った無線アクセスポイントは、当該指示に従った表示を表示手段に行うことを特徴とする請求項２または３に記載の無線ネットワークシステム。
【請求項５】
前記表示処理が終了した際に、現在接続中無線アクセスポイントと直ちにディスアソシエートした後、前記設定情報ファイルの読出し元無線アクセスポイントと再度アソシエートし、前記マスタ無線アクセスポイントからのグループへの参加要望が受諾された旨を、当該無線アクセスポイントの情報表示手段に表示するための情報を送信し、
前記グループへの参加要望が受諾された旨の情報を表示するための表示情報を受取った無線アクセスポイントは、当該指示に従った表示を表示手段に行うことを特徴とする請求項４に記載の無線ネットワークシステム。
【請求項６】
ルートとなるマスタ無線アクセスポイントを中心に複数のスレーブ無線アクセスポイントをグループ化し、前記無線アクセスポイント間の相互通信を実現すると共に、エリア内の無線クライアント端末との間の通信も可能である無線ネットワークシステムにおいて、
前記無線アクセスポイントは、前記無線クライアント端末からの指示に従い情報を表示することが可能な情報表示手段と、前記無線クライアント端末から受領する設定情報ファイルに従って設定情報を変更する手段と、自己以外の無線アクセスポイントを自動探索する手段と、自身が現在設定中の設定情報が記述されている設定情報ファイルを読み出す手段と、接続先の無線アクセスポイントの情報手段に対する表示を指示する手段を具備し、
前記無線アクセスポイント上で、利用者がグループ化処理の起動操作を行った際、前記無線アクセスポイントの自動探索手段を起動し、周辺の無線アクセスポイントの探索を行った後、探索結果を表示情報として、当該表示情報に従って自己の情報表示手段に該当表示を行うことを特徴とする無線ネットワークシステム。
【請求項７】
前記探索結果により、接続可能な無線アクセスポイントを検出した前記無線アクセスポイントは、前記探索結果の表示情報を表示後に、現在アソシエーション中の無線アクセスポイントから前記設定情報ファイルを読み出し、一時記憶した後、クライアント動作モードでの動作を開始し、前記検出した無線アクセスポイントに対してのアソシエートし、前記マスタ無線アクセスポイントからのグループへの参加要望情報を、当該無線アクセスポイントの情報表示手段に表示するための情報を送信し、
前記グループへの参加要望情報を表示するための表示情報を受取った無線アクセスポイントは、当該指示に従った表示を表示手段に行うことを特徴とする請求項６に記載の無線ネットワークシステム。
【請求項８】
前記クライアント動作モードの無線アクセスポイントにおいて、グループ化実行処理の開始・中止を受付ける操作手段と、当該操作情報の未入力時間を計測する計時手段有し、
当該無線アクセスポイントの利用者が前記グループ化実行処理の中止操作を実行、或は前記グループ化実行処理の開始操作を行うことなく、規定時間が経過した際に、
前記グループへの参加要望が拒否された旨の情報を表示するための表示情報に従った表示を自己の表示手段に行うことを特徴とする請求項７に記載の無線ネットワークシステム。
【請求項９】
前記クライアント動作モードの無線アクセスポイントは、一時記憶中の前記設定情報ファイルをアソシエート中の無線アクセスポイントに対して公開する手段、或は当該設定情報ファイルを送付する手段と有し、
前記無線アクセスポイントは、前記設定情報ファイルの情報をデコードし、情報内容に対応した通信パラメータの設定を行う手段を有し、
前記クライアント動作モードの無線アクセスポイントの利用者が前記グループ化実行処理の開始操作を実行した際に、当該クライアント動作モードの無線アクセスポイントが一時記憶してい前記設定情報ファイル情報内容に従った設定情報を、前記グループ化対象無線アクセスポイントが自動設定すると共に、
前記クライアント動作モードの無線アクセスポイントが、前記マスタ無線アクセスポイントからのグループへの参加処理を実施した旨を、当該無線アクセスポイントの情報表示手段に表示するための情報を送信し、
前記グループへの参加処理を実施した旨の情報を表示するための表示情報を受取った無線アクセスポイントは、当該指示に従った表示を表示手段に行うことを特徴とする請求項７または８に記載の無線ネットワークシステム。
【請求項１０】
前記表示処理が終了した際に、現在接続中無線アクセスポイントと直ちにディスアソシエートした後、前記マスタ無線アクセスポイントからのグループへの参加要望が受諾された旨を、自己の表示手段に行うことを特徴とする請求項９に記載の無線ネットワークシステム。
【請求項１１】
前記アクセスポイントに具備される情報表示手段が、ディスプレイ等可視表示が可能な表示手段であることを特徴とする請求項１から１０のいずれかに記載の無線ネットワークシステム。
【請求項１２】
前記アクセスポイントに具備される情報表示手段が、スピーカ等可聴表示が可能な表示手段であることを特徴とする請求項１から１０のいずれかに記載の無線ネットワークシステム。
【請求項１３】
前記情報表示のための指示情報の伝達手段として、可視表示可能な表示対象ファイルの実体を送付することを特徴とする請求項１から１０のいずれかに記載の無線ネットワークシステム。
【請求項１４】
前記情報表示のための指示情報の伝達手段として、可聴表示可能な表示対象ファイルの実体を送付することを特徴とする請求項１から１０のいずれかに記載の無線ネットワークシステム。
【請求項１５】
前記情報表示のための指示情報の伝達手段として、テキストファイルを利用し、表示手段側で、可視可能なデータに変換することを特徴とする請求項１から１０のいずれかに記載の無線ネットワークシステム。
【請求項１６】
前記情報表示のための指示情報の伝達手段として、テキストファイルを利用し、表示手段側で、可聴可能なデータに変換することを特徴とする請求項１から１０のいずれかに記載の無線ネットワークシステム。
【発明の詳細な説明】
【技術分野】
【０００１】
本発明は、無線ネットワークシステムを構築する無線アクセスポイントのグループ化設定の方法に係る無線ネットワークシステムに関する。
【背景技術】
【０００２】
近年、ブロードバンドネットワークシステムの普及に伴い、ローカルネットワークに無線ＬＡＮ等の無線ＩＰネットワークを利用し、バックボードのブロードバンド回線との接続を司る、無線ネットワークの普及が進んでいるが、ネットワークへの参加の際には、煩雑な通信パラメータの設定作業が必要であった。
【０００３】
無線ＬＡＮアクセスポイント間での設定パラメータ情報のコピーを容易に行うための設定情報の格納フォーマット、無線ＬＡＮアクセスポイントのコールドスタート（工場出荷時の設定情報で動作中の機器）への設定パラメータへのコピーの標準手順が紹介されている（例えば、非特許文献１参照）。
【０００４】
また、通信に必要な各種パラメータを機器間でコピーし、機器へのパラメータ設定を行ない機器のグループ化を行う際に、機器の能力によりマスタ−スレーブの関係を自動設定する（例えば、特許文献１参照）ものや、被設定側からマスタを選択しマスタと通信路を設定し設定情報の入手を行う（例えば、特許文献２、特許文献３参照）ものもある。
【特許文献１】特開２００３−８７６１５号公報
【特許文献２】特開平６−１１０６６３号公報
【特許文献３】特開２００４−１５３４３８号公報
【非特許文献１】「ＷＬＡＮ  Ｃｏｎｆｉｇｕｒａｔｉｏｎ：１  Ｓｅｒｖｉｃｅ  Ｔｅｍｐｌａｔｅ  Ｖｅｒｓｉｏｎ  １．０１」、２００３年１０月１７日、ＵＰｎＰ  Ｆｏｒｕｍ
【発明の開示】
【発明が解決しようとする課題】
【０００５】
上記の従来例では、以下のような問題点があった。
【０００６】
機器のグループ化設定を行う際、機器の能力情報によりマスタ−スレーブの関係を自動的に一意的に決定してしまうため、設定者の意思に沿ったマスタ−スレーブの関係を設定することができない。
【０００７】
また、被設定（スレーブ）側より、設定情報のソース（マスタ）を指定する必要があり、グループ化設定操作の前に、設定者がマスタ−スレーブの関係を事前に取り決め、スレーブからマスタを指定するための識別情報（アドレス、ＩＤ、ニックネーム等）を入手しておく必要があった。
【０００８】
本発明は、上記のような従来例が有していた問題を解決しようとするものであり、機器のグループ化処理の際に必要となる設定情報のソース（マスタ）からの複写処理において、前記ソースを識別するための事前収集を不要とすると共に、設定者の意思に沿った、マスタ−スレーブの関係を構築する手段を備える無線ネットワークシステムを提供することを目的とする。
【課題を解決するための手段】
【０００９】
本発明によれば、ルートとなるマスタ無線アクセスポイントを中心に複数のスレーブ無線アクセスポイントをグループ化し、前記無線アクセスポイント間の相互通信を実現すると共に、エリア内の無線クライアント端末との間の通信も可能である無線ネットワークシステムにおいて、上記目的を達成するために、
前記無線アクセスポイントは、前記無線クライアント端末からの指示に従い情報を表示することが可能な情報表示手段と、前記無線クライアント端末から受領する設定情報ファイルに従って設定情報を変更する手段とを具備し、
前記無線クライアント端末は、無線アクセスポイントを自動探索する手段と、接続先無線アクセスポイントから、現在設定中の設定情報が記述されている設定情報ファイルを読み出す手段と、前記設定情報ファイルを一時記憶する手段と、前記無線アクセスポイントの情報手段に対する表示を指示する手段を具備し、
前記無線クライアント端末上で、前記グループ内のいずれかの無線アクセスポイントとアソシエーション中に、利用者がグループ化処理の起動操作を行った際、前記無線アクセスポイントの自動探索手段を起動し、周辺の無線アクセスポイントの探索を行った後、探索結果を表示情報として前記アソシテーション中の無線アクセスポイントに送信し、当該表示情報に従って前記無線アクセスポイントの情報表示手段に該当表示を行ったに、現在アソシエーション中の無線アクセスポイントから前記設定情報ファイルを読み出し、一時記憶を行ない、ディスアソシエートした後、前記検出した無線アクセスポイントに対してのアソシエートし、前記マスタ無線アクセスポイントからのグループへの参加要望情報を、当該無線アクセスポイントの情報表示手段に表示するための情報を送信し、前記グループへの参加要望情報を表示するための表示情報を受取った無線アクセスポイントは、当該指示に従った表示を表示手段に行う。
【００１０】
上記処理により、設定者は、前記無線クライアンット端末に対してグループ化設定の開始操作を行うだけで、前記グループ化の候補として自動選択された、マスタ無線アクセスポイントとスレーブ無線アクセスポイントの関係を、前記無線アクセスポイントに具備された表示手段によって、前記グループ化処理の開始前に視認できるものである。
【発明の効果】
【００１１】
本発明の無線ネットワークシステムは、無線アクセスポイントのグループ化（マスターアクセスポイントからの設定情報の複写）処理を行う際に、グルーブ候補の選択、マスタ−スレーブの関連対応の表示処理を自動化し、設定者の負担を軽減すると共に、最終的なグループ化の確定判断を設定者に委ねることにより、予想外の無線アクセスポイントとの間でグループ化処理が行われる等の不具合を未然に防ぐことを可能とするものである。
【発明を実施するための最良の形態】
【００１２】
以下、本発明の実施の形態について、添付の書面を参照し説明する。
【実施例】
【００１３】
（第１の実施形態）
本発明の無線ネットワークシステムの一実施例として、無線通信媒体としてＩＥＥＥ８０２．１１系無線ＬＡＮを利用した無線アクセスポイント機能を具備した液晶プロジェクタと、ＵＰｎＰ  Ｖｅｒｓｉｏｎ１．０の非特許文献１にて記述されている“ＳＣＰ”（“Ｓｅｔｕｐ”  Ｃｏｎｔｒｏｌ  Ｐｏｉｎｔ）機能と、前記液晶プロジェクタ上に各種可視表示を行う機能を具備した無線クライアント端末、を用いて構成される、無線ネットワークシステムにおいて、前記無線アクセスポイント機能内蔵無線プロジェクタのグループ化（マスターアクセスポイントからの設定情報の複写）処理を実行する例を示す。
【００１４】
図１が、本実施例のシステム構成図である。
【００１５】
１０がルート（源）の設定情報を所持しているマスタ無線アクセスポイントの機能を内蔵した無線プロジェクタ、１１〜１４が本発明のグループ化処理によりスレーブ設定される無線アクセスポイントの機能を内蔵した無線プロジェクタ、１５〜１６が、本発明のグループ化処理に対応する設定状況表示アプリケーションプログラムを具備する無線クライアント端末、１７が通常の無線クライアント端末である。
【００１６】
図２が、本実施例の無線ネットワークシステムを構成する、設定状況表示アプリケーションの機能を具備する無線クライアント端末の機能構成階層図である。
【００１７】
本発明で用いる、各無線アクセスポイント機能内蔵プロジェクタに対する表示情報を生成する、設定情況表示アプリケーション（２０）と、無線アクセスポイント間の設定情報ファイルの複写機能を司る、ＵＰｎＰ  Ｖｅｒｓｉｏｎ１．０の非特許文献１にて規定のＳＣＰ（“Ｓｅｔｕｐ”  Ｃｏｎｔｒｏｌ  Ｐｏｉｎｔ）機能とを具備する点が、通常の無線クライアント端末の機能構成との差異である。
【００１８】
図３に、図１の無線ネットワーク構成において、前記ルート（源）の設定情報を所持しているマスタ無線アクセスポイントの機能を内蔵した無線プロジェクタ（１０）と、起動中の前記無線アクセスポイントの機能を内蔵した無線プロジェクタ（１１）との間での、グループ化（マスターアクセスポイントからの設定情報の複写）処理を、前記設定情況表示アプリケーション（２０）と、無線アクセスポイント間の設定情報ファイルの複写機能を司る、ＵＰｎＰ  Ｖｅｒｓｉｏｎ１．０の非特許文献１にて規定のＳＣＰ（“Ｓｅｔｕｐ”  Ｃｏｎｔｒｏｌ  Ｐｏｉｎｔ）機能とを具備する前記無線クライアント端末が実行し、完了するシーケンス例を示す。
【００１９】
図４〜７及び図９が、本実施例の各ステップでのマスタ無線アクセスポイントの機能を内蔵した無線プロジェクタ（１０）と、前記スレーブ設定対象の無線アクセスポイントの機能を内蔵した無線プロジェクタ（１１）に対する可視情報表示例を示す。
【００２０】
図８が、図１の無線ネットワーク構成において、前記ルート（源）の設定情報を所持しているマスタ無線アクセスポイントの機能を内蔵した無線プロジェクタ（１０）と、起動中の前記無線アクセスポイントの機能を内蔵した無線プロジェクタ（１１）との間での、グループ化（マスターアクセスポイントからの設定情報の複写）処理を、前記設定情況表示アプリケーション（２０）と、無線アクセスポイント間の設定情報ファイルの複写機能を司る、ＵＰｎＰ  Ｖｅｒｓｉｏｎ１．０の非特許文献１にて規定のＳＣＰ（“Ｓｅｔｕｐ”  Ｃｏｎｔｒｏｌ  Ｐｏｉｎｔ）機能とを具備する前記無線クライアント端末が実行し、スレーブ設定対象の無線アクセスポイントより拒否されるシーケンス例である。
【００２１】
図１０、図１１が、前記無線クライアント端末上で起動される本発明の設定情況表示アプリケーションの制御を司る設定アプリケーションの処理概念フローチャートである。
【００２２】
前記シーケンスチャート（図３、図８）前記フローチャート（図１０、図１１）、前記可視情報表示例（図４〜７及び図９）を用いて、前記無線アクセスポイント機能内蔵無線プロジェクタのグループ化（マスターアクセスポイントからの設定情報の複写）処理の実行手順を説明する。
【００２３】
前記マスタ無線アクセスポイントの機能を内蔵した無線プロジェクタ（１０）とアソシエーション状態にある、前記設定状況表示アプリケーションの機能を具備する無線クライアント端末であるＰＣ１（１５）が、本発明の設定アプリケーション（図１０、図１１）を起動（３０、８０）すると、現在アソシエーション中以外の無線アクセスポイントのアクティブスキャン（１００１、３０１、３０２、８０１、８０２）を行ない、前記アクディブスキャンの応答情報として探索先アクセスポイントより返送されるプローブ応答（３０２、８０２）メッセージにて通知されるＲＳＮ（Ｒｏｂｕｓｔ  Ｓｅｃｕｒｉｔｙ  Ｎｅｔｗｏｒｋ）  ＩＥ（Ｉｎｆｏｒｍａｔｉｏｎ  Ｅｌｅｍｅｎｔ）より、当該応答情報の送信元無線アクセスポイントがサポートしている認証、暗号Ｓｕｉｔｅを読出し、接続可能な認証、暗号Ｓｕｉｔｅを持つ無線アクセスポイントの検出の有無を判定（１００２）し、検出出来ない場合、新規無線アクセスポイントの未検出画面情報を現在アソシエーション中のＡＰに送信（１００６、３０３、８０３）した後、ユーザによる設定アプリケーションを中断するための操作有無の判断（１００７）を行ない、中断操作がある場合はそのまま１処理単位を終了し、中断操作がない場合は、再度アクディブスキャン（１００１、３０１、３０２、８０１、８０２）を行う。
【００２４】
現在アソシエーション中の前記マスタ無線アクセスポイントの機能を内蔵した無線プロジェクタ（１０）は、送信された前記新規無線アクセスポイントの未検出画面情報（本実施例では記述なし）の表示を行う。
【００２５】
また、前記設定状況表示アプリケーションの機能を具備する無線クライアント端末であるＰＣ１（１５）が、前記接続可能な認証、暗号Ｓｕｉｔｅを持つ無線アクセスポイントの検出の有無を判定（１００２）し、検出した場合、新規無線アクセスポイントの検出画面情報を現在アソシエーション中のＡＰに送信（１００３、３０３、８０３）した後、現在接続中の前記マスタ無線アクセスポイントの機能を内蔵した無線プロジェクタ（１０）より通信パラメータ設定情報を読出し、自己の機器内の一時記憶手段に記憶（１００４、３０５、８０５）した後、現在接続中の前記マスタ無線アクセスポイントの機能を内蔵した無線プロジェクタ（１０）とディスアソシエーション（１００５、３０６、８０６）した後、新規に検出した前記無線アクセスポイントの機能を内蔵した無線プロジェクタ（１１）とのアソシエーション後の処理（図１１）を開始する。
【００２６】
前記マスタ無線アクセスポイントの機能を内蔵した無線プロジェクタ（１０）は、送信された前記新規無線アクセスポイントの検出画面情報を受けて、グループ化前の表示例（４０）から、前記検出画面情報を受けての表示例（３０４、８０４、５０）のように、前記マスタ無線アクセスポイントの機能を内蔵した無線プロジェクタ（１０）の投影表示の変更を行う。
【００２７】
前記設定状況表示アプリケーションの機能を具備する無線クライアント端末であるＰＣ１（１５）は、新規に検出した前記無線アクセスポイントの機能を内蔵した無線プロジェクタ（１１）とのアソシエーション処理を開始（１１０１，３０７、８０７）し、アソシエーションに失敗した場合、前記マスタ無線アクセスポイントの機能を内蔵した無線プロジェクタ（１０）と再度アソシエーション（１１０８、３１６、８１２）した後、グループ化失敗表示情報を送信（１１０９、３１７、８１３）した後１処理単位を終了し、アソシエーションに成功（３０７、３０８、８０７、８０８）した場合、マスタ無線アクセスポイント検出情報を現在アソシエーション中のＡＰに送信（１１０２、３０９、８０９）した後、グループ化操作待ちタイマをスタート（１１０３）する。
【００２８】
前記新規に検出した無線アクセスポイントの機能を内蔵した無線プロジェクタ（１１）は、送信されたマスタ無線アクセスポイント検出情報を受けて、グループ化前の表示例（４１）上に、前記検出画面情報を受けて先ず、現在投影中の画面上に、グループ化要求が来ている旨の表示（３１０、５１）を重複表示した後、一定時間以上、グループ化拒否操作（８２）がなければ、マスタ−スレーブの関連性を表示するための画面表示（３１０、６１）のように投影表示の変更を行ない、前記一定時間内にグループ化拒否操作があれば、当該グループ化要求を拒否した旨の表示（８１０、９１）を一定時間重複表示した後、当初の表示状態（４１）に復帰させる。
【００２９】
グループ化設定操作者は、前記マスタ無線アクセスポイントの機能を内蔵した無線プロジェクタ（１０）とグループ化対象の前記無線アクセスポイントの機能を内蔵した無線プロジェクタ（１１）の投影中の画面表示が同一であることより、グループ化候補であることを視認（３１、８１）し、前記設定状況表示アプリケーションの機能を具備する無線クライアント端末であるＰＣ１（１５）にてグループ化操作を実行する。
【００３０】
前記設定状況表示アプリケーションの機能を具備する無線クライアント端末であるＰＣ１（１５）は、前記グループ化操作を受付（１１０４）た場合、現在アソシエーション中のグループ化対象の前記無線アクセスポイント機能を内蔵した無線プロジェクタ（１１）に対して、自己が一時記憶している前記通信パラメータ設定情報を転送（１１１０、３１１、３１２）した後、グループ化結果表示情報を現在アソシエーション中のＡＰに送信（１１１１、３１３）した後、現在アソシエーション中のグループ化対象の前記無線アクセスポイント機能を内蔵した無線プロジェクタ（１１）とディスアソシエーション（１１１２、３１５）した後、前記マスタ無線アクセスポイントの機能を内蔵した無線プロジェクタ（１０）と再度アソシエーションし、グループ化結果表示情報を現在アソシエーション中のＡＰに送信（１１１４、３１７）し、１処理単位を終了する。
【００３１】
前記グループ化対象の無線アクセスポイントの機能を内蔵した無線プロジェクタ（１１）は、前記通信パラメータ設定情報が転送（１１１０、３１１、３１２）されると、当該情報に従って自己の通信設定パラメータ情報を更新した後、前記グループ化結果表示情報に従ってグループ化設定の完了表示（３１４、７１）の投影表示を行う。
【００３２】
前記マスタ無線アクセスポイントの機能を内蔵した無線プロジェクタ（１０）は、前記グループ化結果表示情報従ってグループ化設定の完了表示（３１８、７０）の投影表示を行う。
【００３３】
また、前記グループ化設定操作者による前記設定状況表示アプリケーションの機能を具備する無線クライアント端末であるＰＣ１（１５）にてグループ化操作が実行される前に、前記グループ化操作待ちタイマのタイムアップを検出（１１０６）した際、現在アソシエーション中のグループ化対象の前記無線アクセスポイント機能を内蔵した無線プロジェクタ（１１）とディスアソシエーション（１１１２、３１５）した後、前記マスタ無線アクセスポイントの機能を内蔵した無線プロジェクタ（１０）と再度アソシエーションし、グループ化結果表示情報を現在アソシエーション中のＡＰに送信（１１１４、３１７）し、１処理単位を終了する。
【００３４】
前記マスタ無線アクセスポイントの機能を内蔵した無線プロジェクタ（１０）は、前記グループ化結果表示情報従ってグループ化設定の未完了表示（３１８、９０）の投影表示を行う。
【００３５】
さらに、前記グループ化設定操作者による前記設定状況表示アプリケーションの機能を具備する無線クライアント端末であるＰＣ１（１５）にてグループ化操作が実行される前に、前記グループ化対象の前記無線アクセスポイント機能を内蔵した無線プロジェクタ（１１）側にて、グループ化拒否操作（８２）を検出した場合、当該グループ化対象の前記無線アクセスポイント機能を内蔵した無線プロジェクタ（１１）側主導で、ディスアソシエーション処理が行われ（１１０５、８１１）る。
【００３６】
前記設定状況表示アプリケーションの機能を具備する無線クライアント端末であるＰＣ１（１５）は、当該ディスアソシエーション処理（１１０５、８１１）後、再度前記マスタ無線アクセスポイントの機能を内蔵した無線プロジェクタ（１０）とアソシエート（１１０８、８１２）し、グループ化結果表示情報を現在アソシエーション中のＡＰに送信（１１０９、８１３）し、１処理単位を終了する。
【００３７】
前記マスタ無線アクセスポイントの機能を内蔵した無線プロジェクタ（１０）は、前記グループ化結果表示情報従ってグループ化設定の未完了表示（８１４、９０）の投影表示を行う。
【００３８】
上記の処理によって、無線アクセスポイント機能内蔵プロジェクタのグループ化（マスターアクセスポイント機能内蔵プロジェクタからの設定情報の複写）処理を行う際に、グルーブ候補の選択、マスタ−スレーブの関連対応の表示処理を自動化し、設定者の負担を軽減すると共に、最終的なグループ化の確定判断を設定者に委ねることにより、予想外の無線アクセスポイント機能内蔵プロジェクタとの間でグループ化処理が行われる等の不具合を未然に防ぐことを可能となる。
【００３９】
（第２の実施形態）
本発明の無線ネットワークシステムの一実施例として、無線通信媒体としてＩＥＥＥ８０２．１１系無線ＬＡＮを利用した無線アクセスポイント機能と、ＵＰｎＰ  Ｖｅｒｓｉｏｎ１．０の非特許文献１にて記述されている“ＳＣＰ”（“Ｓｅｔｕｐ”  Ｃｏｎｔｒｏｌ  Ｐｏｉｎｔ）機能と、前記液晶プロジェクタ上に各種可視表示を行う機能とを具備した、無線アクセスポイント機能内蔵液晶プロジェクタを用いて構成される、無線ネットワークシステムにおいて、前記無線アクセスポイント機能内蔵無線プロジェクタのグループ化（マスターアクセスポイントからの設定情報の複写）処理を実行する例を示す。
【００４０】
図１２が、本実施例のシステム構成図である。
【００４１】
１２０がルート（源）の設定情報を所持しているマスタ無線アクセスポイントの機能を内蔵した無線プロジェクタ、１２１〜１２４が本発明のグループ化処理によりスレーブ設定される無線アクセスポイントの機能を内蔵し、本発明のグループ化処理に対応する設定状況表示アプリケーションプログラムを具備した無線アクセスポイントの機能を内蔵プロジェクタある。
【００４２】
図１３が、本実施例の無線ネットワークシステムを構成する、設定状況表示アプリケーションの機能を具備する無線アクセスポイントの機能を内蔵するプロジェクタの機能構成階層図である。
【００４３】
本発明で用いる、各無線アクセスポイント機能内蔵プロジェクタに対する表示情報を生成する、設定情況表示アプリケーション（１３０）と、無線アクセスポイント間の設定情報ファイルの複写機能を司る、ＵＰｎＰ  Ｖｅｒｓｉｏｎ１．０の非特許文献１にて規定のＳＣＰ（“Ｓｅｔｕｐ”  Ｃｏｎｔｒｏｌ  Ｐｏｉｎｔ）機能とを具備する点が、通常の無線アクセスポイント機能内蔵プロジェクタとの機能構成の差異である。
【００４４】
図１４に、図１２の無線ネットワーク構成において、前記ルート（源）の設定情報を所持しているマスタ無線アクセスポイントの機能を内蔵した無線プロジェクタ（１２０）と、起動中の前記無線アクセスポイントの機能を内蔵した無線プロジェクタ（１２１）との間での、グループ化（マスターアクセスポイントからの設定情報の複写）処理を、前記設定情況表示アプリケーション（１３０）と、無線アクセスポイント間の設定情報ファイルの複写機能を司る、ＵＰｎＰ  Ｖｅｒｓｉｏｎ１．０の非特許文献１にて規定のＳＣＰ（“Ｓｅｔｕｐ”  Ｃｏｎｔｒｏｌ  Ｐｏｉｎｔ）機能とを具備する前記無線アクセスポイント機能内蔵液晶プロジェクタが実行し、完了するシーケンス例を示す。
【００４５】
図１５、図１６が、前記無線クライアント端末上で起動される本発明の設定情況表示アプリケーションの制御を司る設定アプリケーションの処理概念フローチャートである。
【００４６】
前記シーケンスチャート（図１４）前記フローチャート（図１５、図１６）、前記可視情報表示例（図４〜７及び図９）を用いて、前記無線アクセスポイント機能内蔵無線プロジェクタのグループ化（マスターアクセスポイントからの設定情報の複写）処理の実行手順を説明する。
【００４７】
前記マスタ無線アクセスポイントの機能を内蔵し、前記設定状況表示アプリケーションの機能を具備する無線プロジェクタ（１２０）が、本発明の設定アプリケーション（図１５、図１６）を起動（１４０）すると、無線端末モードでの無線アクセスポイントのアクティブスキャン（１４０１，１４０２）を行ない、前記アクディブスキャンの応答情報として探索先アクセスポイントより返送されるプローブ応答（１４０２）メッセージにて通知されるＲＳＮ（Ｒｏｂｕｓｔ  Ｓｅｃｕｒｉｔｙ  Ｎｅｔｗｏｒｋ）  ＩＥ（Ｉｎｆｏｒｍａｔｉｏｎ  Ｅｌｅｍｅｎｔ）より、当該応答情報の送信元無線アクセスポイントがサポートしている認証、暗号Ｓｕｉｔｅを読出し、接続可能な認証、暗号Ｓｕｉｔｅを持つ無線アクセスポイントの検出の有無を判定（１５０２）し、検出出来ない場合、前記新規無線アクセスポイントの未検出画面情報（本実施例では記述なし）の表示を行ない、中断操作がある場合はそのまま１処理単位を終了し、中断操作がない場合は、再度アクディブスキャン（１５０１、１４０１、１４０２）を行う。
【００４８】
また、マスタ無線アクセスポイントの機能を内蔵し、前記設定状況表示アプリケーションの機能を具備する無線プロジェクタ（１２０）が、前記接続可能な認証、暗号Ｓｕｉｔｅを持つ無線アクセスポイントの検出の有無を判定（１５０２）し、検出した場合、新規無線アクセスポイントの検出画面情報を表示するために、グループ化前の表示例（４０）から、前記検出画面情報の表示例（１４０３、５０）のように、前記マスタ無線アクセスポイントの機能を内蔵した無線プロジェクタ（１２０）の投影表示の変更を行った後、新規に検出した前記無線アクセスポイントの機能を内蔵した無線プロジェクタ（１２１）とのアソシエーション後の処理（図１６）を開始する。
【００４９】
前記設定状況表示アプリケーションの機能を具備する無線プロジェクタ（１２０）は、新規に検出した前記無線アクセスポイントの機能を内蔵した無線プロジェクタ（１２１）とのアソシエーション処理を開始（１６０１，１４０４、１４０５）し、アソシエーションに失敗した場合、グループ化設定の失敗表示（１６０７、９０）の投影表示を行なった後、１処理単位を終了し、アソシエーションに成功（１４０４、１４０５）した場合、マスタ無線アクセスポイント検出情報を現在アソシエーション中のＡＰに送信（１４０６、１６０２）した後、グループ化操作待ちタイマをスタート（１６０３）する。
【００５０】
前記新規に検出した無線アクセスポイントの機能を内蔵した無線プロジェクタ（１２１）は、送信されたマスタ無線アクセスポイント検出情報を受けて、グループ化前の表示例（４１）上に、前記検出画面情報を受けて先ず、現在投影中の画面上に、グループ化要求が来ている旨の表示（１４０７、５１）を重複表示した後、一定時間以上、グループ化拒否操作（８２）がなければ、マスタ−スレーブの関連性を表示するための画面表示（１４０７、６１）のように投影表示の変更を行ない、前記一定時間内にグループ化拒否操作があれば、当該グループ化要求を拒否した旨の表示（９１）を一定時間重複表示した後、当初の表示状態（４１）に復帰させる。
【００５１】
グループ化設定操作者は、前記マスタ無線アクセスポイントの機能を内蔵した無線プロジェクタ（１２０）とグループ化対象の前記無線アクセスポイントの機能を内蔵した無線プロジェクタ（１１）の投影中の画面表示が同一であることより、グループ化候補であることを視認（３１、８１）し、前記設定状況表示アプリケーションの機能を具備するマスタ無線アクセスポイントの機能を内蔵した無線プロジェクタ（１２０）にてグループ化操作を実行する。
【００５２】
前記設定状況表示アプリケーションの機能を具備する無線アクセスポイントの機能を内蔵した無線プロジェクタ（１２０）は、前記グループ化操作を受付（１６０４）た場合、現在アソシエーション中のグループ化対象の前記無線アクセスポイント機能を内蔵した無線プロジェクタ（１２１）に対して、自己が記憶している前記通信パラメータ設定情報を転送（１６０８、１４０８、１４０９）した後、グループ化結果表示情報を現在アソシエーション中のＡＰに送信（１６０９、１４１０）した後、現在アソシエーション中のグループ化対象の前記無線アクセスポイント機能を内蔵した無線プロジェクタ（１２１）とディスアソシエーション（１６１０、１４１２）した後、前記グループ化結果表示情報従ってグループ化設定の完了表示（１４１３、７０）の投影表示し、１処理単位を終了する。
【００５３】
また、前記グループ化設定操作者による前記設定状況表示アプリケーションの機能を具備する無線アクセスポイントの機能を内蔵した無線プロジェクタ（１２０）にてグループ化操作が実行される前に、前記グループ化操作待ちタイマのタイムアップを検出（１６０６）した際、現在アソシエーション中のグループ化対象の前記無線アクセスポイント機能を内蔵した無線プロジェクタ（１２１）とディスアソシエーション（１１１２、３１５）した後、グループ化設定の失敗表示（１６０７、７０）の投影表示し１処理単位を終了する。
【００５４】
さらに、前記グループ化設定操作者による前記設定状況表示アプリケーションの機能を無線アクセスポイントの機能を内蔵した無線プロジェクタ（１２０）にてグループ化操作が実行される前に、前記グループ化対象の前記無線アクセスポイント機能を内蔵した無線プロジェクタ（１２１）側にて、グループ化拒否操作を検出した場合、当該グループ化対象の前記無線アクセスポイント機能を内蔵した無線プロジェクタ（１２１）側主導で、ディスアソシエーション処理が行われた後、グループ化設定の失敗表示（１６０７、７０）の投影表示し１処理単位を終了する。
【００５５】
上記の処理によって、無線アクセスポイント機能内蔵プロジェクタのグループ化（マスターアクセスポイント機能内蔵プロジェクタからの設定情報の複写）処理を行う際に、グルーブ候補の選択、マスタ−スレーブの関連対応の表示処理を自動化し、設定者の負担を軽減すると共に、最終的なグループ化の確定判断を設定者に委ねることにより、予想外の無線アクセスポイント機能内蔵プロジェクタとの間でグループ化処理が行われる等の不具合を未然に防ぐことを、前記設定状況表示アプリケーションの機能を無線アクセスポイントの機能を内蔵した無線プロジェクタ（１２０）によっても可能となる。
【００５６】
（第３の実施形態）
前記実施例においては、可視表示手段の例として液晶プロジェクタ機能を具備した無線アクセスポイント間のグループ化の手法を示したが、その他可視表示手段としていて、テキストベースでの可視表示手段を用いて、マスタ−スレーブ間の関連性表示を実施（図１７参照）を行っても、同様の効果を得ることが出来る。
【図面の簡単な説明】
【００５７】
【図１】第一実施例における無線アクセスポイント機能を具備した液晶プロジェクタと、設定用無線クライアント端末の構成するネットワーク概念図
【図２】第一実施例における設定状況表示アプリケーションの機能を具備する無線クライアント端末の機能構成階層図
【図３】第一実施例における無線アクセスポイント機能を具備した液晶プロジェクタのグループ化実行シーケンスチャート例を示す図
【図４】本発明の実施例におけるグループ化処理開始前の、マスタ、スレーブ無線アクセスポイント機能を具備した液晶プロジェクタの表示画面例を示す図
【図５】本発明の実施例におけるグループ化処理開始後の、マスタ、スレーブ無線アクセスポイント機能を具備した液晶プロジェクタの表示画面例１を示す図
【図６】本発明の実施例におけるグループ化処理開始後の、マスタ、スレーブ無線アクセスポイント機能を具備した液晶プロジェクタの表示画面例２を示す図
【図７】本発明の実施例におけるグループ化処理開始後の、マスタ、スレーブ無線アクセスポイント機能を具備した液晶プロジェクタの表示画面例３を示す図
【図８】第一実施例における無線アクセスポイント機能を具備した液晶プロジェクタのグループ化拒否シーケンスチャート例を示す図
【図９】本発明の実施例におけるグループ化処理開始後の、マスタ、スレーブ無線アクセスポイント機能を具備した液晶プロジェクタの表示画面例４を示す図
【図１０】第一実施例における、本発明設定情況表示アプリケーションの制御を司る設定アプリケーションの処理概念フローチャート１
【図１１】第一実施例における、本発明設定情況表示アプリケーションの制御を司る設定アプリケーションの処理概念フローチャート２
【図１２】第二実施例における無線アクセスポイント機能を具備した液晶プロジェクタの構成するネットワーク概念図
【図１３】第二実施例における設定状況表示アプリケーションの機能を具備する無線アクセスポイントの機能構成階層図
【図１４】第二実施例における無線アクセスポイント機能を具備した液晶プロジェクタのグループ化実行シーケンスチャート例を示す図
【図１５】第二実施例における、本発明設定情況表示アプリケーションの制御を司る設定アプリケーションの処理概念フローチャート１
【図１６】第二実施例における、本発明設定情況表示アプリケーションの制御を司る設定アプリケーションの処理概念フローチャート２
【図１７】第三実施例におけるグループ化処理開始後の、マスタ、スレーブ無線アクセスポイント機能を具備した液晶プロジェクタの表示画面例を示す図
【符号の説明】
【００５８】
１０    マスタ（ルート）無線アクセスポイント機能内蔵液晶プロジェクタ
１１〜１４  スレーブ無線アクセスポイント機能内蔵液晶プロジェクタ
１５〜１６  本発明グループ化処理に対応する設定状況表示アプリケーションプログラムを具備する無線クライアント端末
１７    通常の無線クライアント端末
１２０  本発明グループ化処理に対応する設定状況表示アプリケーションプログラムを具備するマスタ（ルート）無線アクセスポイント機能内蔵液晶プロジェクタ
１２１〜１２４  スレーブ無線アクセスポイント機能内蔵液晶プロジェクタ
【図２】
2006287787.tif 000003
【図３】
2006287787.tif 000004
【図８】
2006287787.tif 000005
【図１０】
2006287787.tif 000006
【図１１】
2006287787.tif 000007
【図１３】
2006287787.tif 000008
【図１４】
2006287787.tif 000009
【図１５】
2006287787.tif 000010
【図１６】
2006287787.tif 000011
【図１７】
2006287787.tif 000012
【図１】
2006287787.tif 000013
【図４】
2006287787.tif 000014
【図５】
2006287787.tif 000015
【図６】
2006287787.tif 000016
【図７】
2006287787.tif 000017
【図９】
2006287787.tif 000018
【図１２】
2006287787.tif 000019